(57)【特許請求の範囲】
【請求項１】
複数の伝送路を切り替えるスイッチと該複数の伝送路にそれぞれ接続された複数のスプリッタとを介して、前記スプリッタにそれぞれ複数接続されたユーザ側通信装置との間で信号光を送受信する局側光終端装置において、
前記ユーザ側通信装置と自装置との間の伝送路の特性に応じて前記信号光に等化処理を行うフィルタ処理部と、
前記等化処理におけるフィルタ係数の更新を行うフィルタ係数処理制御部と、
前記フィルタ係数を保持するテーブルと、
を備え、
前記フィルタ係数処理制御部は、
同一の前記スプリッタに接続された複数の前記ユーザ側通信装置に対して、当該同一の前記スプリッタに接続された複数の前記ユーザ側通信装置のうち基準とするユーザ側通信装置に対して更新した前記フィルタ係数を適用し、
前記複数のユーザ側通信装置との通信の確立前に、前記スプリッタ毎に前記基準とするユーザ側通信装置に対してのみ前記フィルタ係数の更新を行い、該フィルタ係数を前記テーブルに格納し、
前記通信の確立後は、前記フィルタ係数を前記テーブルから取得する
ことを特徴とする局側光終端装置。
【請求項２】
複数の伝送路を切り替えるスイッチと該複数の伝送路にそれぞれ接続された複数のスプリッタとを介して、前記スプリッタにそれぞれ複数接続されたユーザ側通信装置との間で信号光を送受信する局側光終端装置において、
前記ユーザ側通信装置と自装置との間の伝送路の特性に応じて前記信号光に等化処理を行うフィルタ処理部と、
前記等化処理におけるフィルタ係数の更新を行うフィルタ係数処理制御部と、
を備え、
前記フィルタ係数処理制御部は、
同一の前記スプリッタに接続された複数の前記ユーザ側通信装置のうち、基準とするユーザ側通信装置に対しては、前記基準とするユーザ側通信装置に対して更新した前記フィルタ係数を適用し、その他のユーザ側通信装置に対しては、前記基準とするユーザ側通信装置に対して適用する前記フィルタ係数を前記基準とするユーザ側通信装置と当該その他のユーザ側通信装置との伝送路の距離差に応じて補償したフィルタ係数を適用する
ことを特徴とする局側光終端装置。
【請求項３】
複数の伝送路を切り替えるスイッチと該複数の伝送路にそれぞれ接続された複数のスプリッタとを介して、前記スプリッタにそれぞれ複数接続されたユーザ側通信装置との間で信号光を送受信する局側光終端装置における等化処理共通化方法において、
前記ユーザ側通信装置と自装置との間の伝送路の特性に応じて前記信号光に等化処理を行うフィルタ処理手順と、
前記等化処理におけるフィルタ係数の更新を行うフィルタ係数処理制御手順と、
を行い、
前記フィルタ係数処理制御手順では、
同一の前記スプリッタに接続された複数の前記ユーザ側通信装置に対して、当該同一の前記スプリッタに接続された複数の前記ユーザ側通信装置のうち基準とするユーザ側通信装置に対して更新した前記フィルタ係数を適用し、
前記複数のユーザ側通信装置との通信の確立前に、前記スプリッタ毎に前記基準とするユーザ側通信装置に対してのみ前記フィルタ係数の更新を行い、該フィルタ係数をテーブルに格納し、
前記通信の確立後は、前記フィルタ係数を前記テーブルから取得する
ことを特徴とする局側光終端装置の等化処理共通化方法。
【発明の詳細な説明】
【技術分野】
【０００１】
本発明は、局側光終端装置及び等化処理共通化方法に関する。
【背景技術】
【０００２】
現在の局側光終端装置（ＯＬＴ：Ｏｐｔｉｃａｌ  Ｌｉｎｅ  Ｔｅｒｍｉｎａｌ）−光加入者線ネットワーク装置（ＯＮＵ：Ｏｐｔｉｃａｌ  Ｎｅｔｗｏｒｋ  Ｕｎｉｔ）間の構成においては、１つのＯＬＴに複数のＯＮＵが接続されていて、ＯＬＴでＯＮＵ側に送信された信号は光ファイバで伝送され、局内でスプリッタにより分岐され、その後局外でスプリッタにより分岐され、ユーザ宅のＯＮＵに接続される。ＴＤＭＡを用いたＰＯＮシステムにおいてはＯＮＵのユーザの上り信号は時間差でＯＬＴに到着する。
【０００３】
そのため、一つのＯＬＴにヘビーユーザが集中することでＱｏＳの低下や、ファイバの自由な付け替えが出来ないために心線共用率の低下が生じる。そこでＯＬＴとＯＮＵ間にｎ対ｍの切替えを行うスイッチを置き、ＯＬＴに接続されるユーザが制御により随時切り替わる構成をとることが検討されている。
【０００４】
スイッチよりＯＬＴ側にスプリッタが入り、且つ、スイッチよりＯＮＵ側にスプリッタが入るシステムである。ここで、同一のＰＯＮシステムはスイッチからみてＯＮＵ側において心線共用しているシステムであり、同一のＰＯＮシステムにおいては、距離的に集合したユーザに対して集約する傾向があるため、波形劣化をユーザ毎に同等と考える。
【０００５】
このユーザが切り替わるシステムにおいては、ＯＬＴ−ＯＮＵ間の伝送路の特性として、ＯＮＵのあるユーザ宅までの距離がユーザ毎に異なるために、伝送路と距離が時間的に変化する。この場合、等化処理によって伝送路の切替えに対応した波形の補償を行う必要がある。
【０００６】
等化処理とは、受信した主信号により、誤差関数を計算し、誤差関数が最小となるように、フィルタ係数を更新していく処理である。更新するフィルタ係数の変化が小さくなることを、フィルタ係数が収束するといい、フィルタ係数が最適なものに近づいていることを示す。
【０００７】
等化処理は現在のＯＬＴにおいては実装されておらず将来機能である。現在のＯＬＴとＯＮＵ間の構成においてはＯＬＴ−ＯＮＵ間の時間的な距離の変化が生じないため等化処理は実装されてない。第１の関連技術において、等化処理を搭載したＯＬＴが記述されている。
【０００８】
等化処理は入力波形から誤差関数を計算し、誤差を最小化するようにフィルタ係数を更新する処理である。上り信号に対しフィルタ係数の更新を行い、得たフィルタ係数を下り信号の前方等化に用いる方法である。第２の関連技術において、無線での等化処理は、異なる伝搬状況にて毎ユーザごとに、等化処理を行う（非特許文献１〜４を参照。）。
【先行技術文献】
【非特許文献】
【０００９】
【非特許文献１】ｈｔｔｐ：／／ｗｗｗ．ｏｋｉ．ｃｏｍ／ｊｐ／ｏｔｒ／２０１２／ｎ２１９／ｐｄｆ／２１９＿ｒ１２．ｐｄｆ
【非特許文献２】ｈｔｔｐ：／／ｗｗｗ．ｊｒｃ．ｃｏ．ｊｐ／ｊｐ／ｃｏｍｐａｎｙ／ｈｔｍｌ／ｒｅｖｉｅｗ５５／ｐｄｆ／ＪＲＣｒｅｖｉｅｗ５５＿０５．ｐｄｆ
【非特許文献３】Ｙ．  Ｙｕｍｉｎａｋａ，  Ｋ．  Ｙａｍａｍｕｒａ，  “Ｅｑｕａｌｉｚａｔｉｏｎ  ｔｅｃｈｎｉｑｕｅｓ  ｆｏｒ  ｍｕｌｔｉｐｌｅ−ｖａｌｕｅｄ  ｄａｔａ  ｔｒａｎｓｍｉｓｓｉｏｎ  ａｎｄ  ｔｈｅｉｒ  ａｐｐｌｉｃａｔｉｏｎ，”  ＩＥＥＥ  Ｐｒｏｃ．  ３７ｔｈ  Ｉｎｔｅｒｎａｔｉｏｎａｌ  Ｓｙｍｐｏｓｉｕｍ  ｏｎ  Ｍｕｌｔｉｐｌｅ−Ｖａｌｕｅｄ  Ｌｏｇｉｃ，  ｐ．  ２６−２９，  ２００７．
【非特許文献４】Ｓｅｖｃｉｋ，  Ｂ．，Ｂｒａｎｃｉｋ，  Ｌ．，  “Ｔｉｍｅ−Ｄｏｍａｉｎ  Ｐｒｅ−Ｅｍｐｈａｓｉｓ  Ｔｅｃｈｎｉｑｕｅ  ｂａｓｅｄ  ｏｎ  Ｐｕｌｓｅ−Ｗｉｄｔｈ  Ｍｏｄｕｌａｔｉｏｎ  Ｓｃｈｅｍｅ”，  Ｉｎｔｅｒｎａｔｉｏｎａｌ  Ｃｏｎｆｅｒｅｎｃｅ  ｏｎ  Ｔｅｌｅｃｏｍｍｕｎｉｃａｔｉｏｎｓ  ａｎｄ  Ｓｉｇｎａｌ  Ｐｒｏｃｅｓｓｉｎｇ  （ＴＳＰ），  ４８３  −  ４８６，  ２０１１．
【発明の概要】
【発明が解決しようとする課題】
【００１０】
上述した関連技術に係る等化処理は、フィルタ演算後の結果のフィードバック演算を行うフィルタ係数更新部を持ち演算量が大きい。更にはＯＬＴに接続されている全ユーザに対して処理を行う演算量が大きい。ＰＯＮシステムにおいては心線共用している複数のユーザ毎に等化処理をしなければならないが、装置における演算量の増加を引き起こす。ユーザ毎に動的に変わる距離差による分散補償を低演算量で実現することが課題である。
【００１１】
前記課題を解決するために、本発明は、１つのＰＯＮシステムにおいて等化処理を１つとすることで処理を共通化する。また、そのままではユーザ毎に微妙に伝送路が異なるため、１つのＰＯＮシステム内のユーザ毎の距離に応じて低演算量なフィルタ補償処理をすることにより、低い演算量で共通化した等化処理の性能を向上させることを目的とする。
【課題を解決するための手段】
【００１２】
上記目的を達成するため、本発明では、同一のＰＯＮシステム内ユーザや距離差によるクラスタリングにより同一クラスに属するユーザに対するフィルタ係数更新計算を共通化することで、ユーザ毎に動的に変わる距離差による分散補償を低演算量で実現する。
【００１３】
具体的には、本発明に係る局側光終端装置は、
複数の伝送路を切り替えるスイッチと該複数の伝送路にそれぞれ接続された複数のスプリッタとを介して、前記スプリッタにそれぞれ複数接続されたユーザ側通信装置との間で信号光を送受信する局側光終端装置において、
前記ユーザ側通信装置と自装置との間の伝送路の特性に応じて前記信号光に等化処理を行うフィルタ処理部と、
前記等化処理におけるフィルタ係数の更新を行うフィルタ係数処理制御部と、
前記フィルタ係数を保持するテーブルと、
を備え、
前記フィルタ係数処理制御部は、
同一の前記スプリッタに接続された複数の前記ユーザ側通信装置に対して、当該同一の前記スプリッタに接続された複数の前記ユーザ側通信装置のうち基準とするユーザ側通信装置に対して更新した前記フィルタ係数を適用し、
前記複数のユーザ側通信装置との通信の確立前に、前記スプリッタ毎に前記基準とするユーザ側通信装置に対してのみ前記フィルタ係数の更新を行い、該フィルタ係数を前記テーブルに格納し、
前記通信の確立後は、前記フィルタ係数を前記テーブルから取得する。
【００１５】
また、本発明に係る局側光終端装置は、
複数の伝送路を切り替えるスイッチと該複数の伝送路にそれぞれ接続された複数のスプリッタとを介して、前記スプリッタにそれぞれ複数接続されたユーザ側通信装置との間で信号光を送受信する局側光終端装置において、
前記ユーザ側通信装置と自装置との間の伝送路の特性に応じて前記信号光に等化処理を行うフィルタ処理部と、
前記等化処理におけるフィルタ係数の更新を行うフィルタ係数処理制御部と、
を備え、
前記フィルタ係数処理制御部は、
同一の前記スプリッタに接続された複数の前記ユーザ側通信装置のうち、基準とするユーザ側通信装置に対しては、前記基準とするユーザ側通信装置に対して更新した前記フィルタ係数を適用し、その他のユーザ側通信装置に対しては、前記基準とするユーザ側通信装置に対して適用する前記フィルタ係数を前記基準とするユーザ側通信装置と当該その他のユーザ側通信装置との伝送路の距離差に応じて補償したフィルタ係数を適用する。
【００１６】
具体的には、本発明に係る局側光終端装置の等化処理共通化方法は、
複数の伝送路を切り替えるスイッチと該複数の伝送路にそれぞれ接続された複数のスプリッタとを介して、前記スプリッタにそれぞれ複数接続されたユーザ側通信装置との間で信号光を送受信する局側光終端装置における等化処理共通化方法において、
前記ユーザ側通信装置と自装置との間の伝送路の特性に応じて前記信号光に等化処理を行うフィルタ処理手順と、
前記等化処理におけるフィルタ係数の更新を行うフィルタ係数処理制御手順と、
を行い、
前記フィルタ係数処理制御手順では、
同一の前記スプリッタに接続された複数の前記ユーザ側通信装置に対して、当該同一の前記スプリッタに接続された複数の前記ユーザ側通信装置のうち基準とするユーザ側通信装置に対して更新した前記フィルタ係数を適用し、
前記複数のユーザ側通信装置との通信の確立前に、前記スプリッタ毎に前記基準とするユーザ側通信装置に対してのみ前記フィルタ係数の更新を行い、該フィルタ係数をテーブルに格納し、
前記通信の確立後は、前記フィルタ係数を前記テーブルから取得する。
【００１７】
なお、上記各発明は、可能な限り組み合わせることができる。
【発明の効果】
【００１８】
本発明によれば、１つのＰＯＮシステムにおいて等化処理を１つとすることで処理を共通化する。また、そのままではユーザ毎に微妙に伝送路が異なるため、１つのＰＯＮシステム内のユーザ毎の距離に応じて低演算量なフィルタ補償処理をすることにより、低い演算量で共通化した等化処理の性能を向上させることができる。
【００１９】
また、本発明によれば、演算量の削減が可能である。ハードウェアで実現する際は回路規模の縮小が可能であり、ソフトウェアで実現する際は使用リソースの削減や高速化による低遅延化と高スループット化が可能となる。
【図面の簡単な説明】
【００２０】
【図１】本実施形態に係る通信システムの接続形態と構成図の一例を示す。
【図２】本実施形態に係るＯＬＴにおける同一ＰＯＮシステムユーザ処理の集約の一例を示す。
【図３】本実施形態に係るフィルタ係数更新におけるフィルタ更新とテーブル計算の切替の一例を示す。
【図４】本実施形態に係るＯＬＴにおいて、距離の差分を用いた場合の同一ＰＯＮシステムユーザ処理の集約とユーザ毎の補償処理の一例を示す。
【図５】本実施形態に係るＯＬＴにおいて、複数の他のユーザのフィルタ情報を用いた場合の同一ＰＯＮシステムユーザ処理の集約とユーザ毎の補償処理の一例を示す。
【発明を実施するための形態】
【００２１】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００２２】
（実施形態１）
図１に示す本実施形態に係る通信システムは、ＰＯＮ１１と、スプリッタ１３と、スイッチ１４と、ＯＬＴ１５と、を備える。各ＰＯＮ１１は複数のＯＮＵ１２を有し、各ＯＬＴ１５は多重・分離部１６と、受信器１７と、等化処理部１８及び２１と、基本処理部１９と、送信器２２と、を有する。
【００２３】
図１に示すように本実施形態に係る通信システムは、ユーザ側通信装置として機能する複数のＯＮＵ１２と複数のＯＬＴ１５があり、その間をｍ×ｎスイッチとして機能するスイッチ１４により切替可能なシステムを想定する。ＯＬＴ１５においてはＯＮＵ１２から受信した信号に対して等化処理部１８及び２１において等化処理をし、ＯＮＵ１２へ送信する信号に対し前方等化処理を行う構成をとる。図１における基本処理部１９で行う基本処理はＦＥＣ、暗号化、ＭＡＣフレーム処理等のＯＬＴ１５に標準的に搭載される機能である。
【００２４】
基本機能モジュールである基本処理部１９から上位ＮＷへ接続される。ここで、ＯＬＴ上り信号の等化処理と、ＯＬＴ下り信号の前方等化に関して本構成を用いることが出来る。上りと下りの伝送路の特性をほぼ同じとみなすと、ＯＬＴ下り信号の前方等化に関しては、上り信号の等化処理によって得られたフィルタ係数を用いることが出来る。
【００２５】
図２に示す本実施形態に係る通信システムは、ＰＯＮ１１と、スプリッタ１３と、スイッチ１４と、ＯＬＴ１５と、を備える。各ＰＯＮ１１は複数のＯＮＵ１２を有し、各ＯＬＴ１５は、多重・分離部１６と、等化処理部２３及び３９と、基本処理部３８と、を有する。
【００２６】
上りの主信号を受信する等化処理部２３は、フィルタ係数更新部２８を有するフィルタ更新部２４と、フィルタ係数ユーザ要求部３１及び基準ユーザフィルタ係数保持部３２を有するメモリ２５と、遅延回路３３と増幅器３４と加算器３５を有するフィルタ処理部２６と、フィルタ係数処理制御部２７と、を有する。
【００２７】
基本処理部３８は、ユーザ毎受信タイミング処理部４１を有する信号制御部４０と、ＬＬＩＤ４４及びＭＡＣフレーム解析部４３を有するＭＡＣフレーム処理部４２と、を備える。下りの主信号を送信する等化処理部３９は、基準ユーザフィルタ係数保持部４７を有するフィルタ取得部４５と、遅延回路４８と増幅器４９と加算器５０を有するフィルタ処理部４６と、を有する。
【００２８】
図２はＯＬＴ１５における同一ＰＯＮシステムユーザ処理の集約を示している。関連技術に係る構成においてユーザ毎に対して存在していたフィルタ係数更新等の等化処理に対して、同一のＰＯＮシステムに用いられる等化処理の更新処理を共通化する事でＯＬＴ内部の演算量を削減する。
【００２９】
所属するＰＯＮシステムに関しては、事前にデータベースからＯＬＴ１５に書き込みを行い、ユーザ情報から判別できることとする。特に、局舎外において心線をスプリッタ１３において分岐するユーザに対しては、ユーザ−局舎間の距離の差が小さく、本手法が有効である。また、距離に応じたクラスタリングによるクラス内のフィルタ係数の共通化が可能である。
【００３０】
レンジングにより得られるＯＮＵ１２−ＯＬＴ１５間の距離を用いて、ＯＬＴ１５に接続されるＯＮＵ１２を距離によってクラスタリングする。クラスタリングのアルゴリズムとしてはｋ−ｍｅａｎｓ等が考えられる。同一クラスのＯＮＵ１２からの信号に対する等化処理に関してもフィルタ係数更新の共通化が可能である。
【００３１】
まず、受信したＯＮＵ１２からの上り信号に対し、フィルタ係数処理制御部２７において信号制御部４０のユーザ毎受信タイミングから送信元ＯＮＵ１２を特定する。その後、フィルタ更新部２４においては特定されたＯＮＵ情報からユーザの情報を読み込み、基準ユーザであった場合はフィルタ係数の更新を行う。
【００３２】
フィルタの更新を行う際に、同一のＰＯＮ１１に収容されているユーザの中で基準ユーザを決定し、基準ユーザに対してのみフィルタ係数の更新を行う。ＴＤＭのＰＯＮ１１において、基準ユーザは同一ＰＯＮシステムの中で最初に受信した信号に対応するユーザとする。
【００３３】
ユーザ情報はユーザ毎受信タイミングにより、フィルタ係数処理制御部２７で信号の送信元ＯＮＵの特定が行われ、同一ＰＯＮシステムの中で最初に受信したユーザに対しては基準ユーザとしてフィルタ更新部２４にてフィルタ更新処理を行い、フィルタ係数をメモリ２５に保持する。
【００３４】
連続して、同一ＰＯＮシステムの他のユーザの信号が入力された際は、フィルタ係数更新なしにメモリを参照し、基準ユーザのフィルタ係数を用いる。フィルタ更新部２４とメモリ２５はそれぞれフィルタ処理部２６にフィルタ係数を送り、主信号に対するフィルタ処理を行う。
【００３５】
上り信号から得られたフィルタ係数は下り信号においても共通的に用いる。下り信号においてはフィルタ係数更新部２８において、ＬＬＩＤ４４から送信先ユーザを特定し、特定したユーザに対応するフィルタ係数を取得する。
【００３６】
（実施形態２）
実施形態１においては同一ＰＯＮシステムのユーザが連続しない場合は、フィルタ係数更新の頻度が増えて、演算量が大きくなってしまう。そのため、演算量削減を目的としてテーブル計算によるフィルタ係数更新の演算を削減する方法を図３に示す。
【００３７】
図３に示す本実施形態に係るＯＬＴは、ユーザ毎受信タイミング処理部５１と、フィルタ係数処理制御部５２と、基準ユーザフィルタ係数を有するテーブル５３と、フィルタ処理部５４と、を備える。
【００３８】
本実施形態に係るＯＬＴ１５では、通信確立前に、フィルタ係数更新処理を事前計算し、テーブル５３にフィルタ係数を保持する。スイッチ１４の切替情報は、ユーザ毎受信タイミングから特定する。フィルタ係数処理制御部５２において入力された信号に関して、ユーザ毎受信タイミングから送信元ＯＮＵ番号から所属するＰＯＮシステムを特定する。
【００３９】
特定したＰＯＮシステムのうち、ユーザの所属するＰＯＮシステムに応じた基準ユーザフィルタ係数を出力するテーブル５３を参照する。基準ユーザフィルタ係数をフィルタ処理部５４に送り、ユーザに応じたフィルタ処理を行う。
【００４０】
（実施形態３）
図４に同一ＰＯＮシステムユーザ処理におけるフィルタ係数補償を示す。図４に示す本実施形態に係るＯＬＴは、ユーザ毎受信タイミング処理部６１と、フィルタ係数補償部６２と、フィルタ処理部６３と、基準フィルタ係数６４、ユーザ要求６５と、を備える。
【００４１】
フィルタ係数補償部６２は、フィルタ係数・ユーザ要求処理制御部６６と、フィルタ係数推定部６７と、を備える。フィルタ係数推定部６７は、補償フィルタ係数６９を有する補償フィルタ計算部６８と、畳み込み部７０と、を備える。
【００４２】
同一ＰＯＮユーザの処理を共通化後に、基準フィルタ係数６４とユーザ毎に距離を用いた補償フィルタ係数６９を用いてフィルタ係数を推定し、同一ＰＯＮ内でも基準タップに与える距離と実際のユーザ距離間の距離差によって生じる微弱な波形劣化、に応じたフィルタ係数補償を行う。
【００４３】
ユーザに応じたＯＬＴ１５−ＯＮＵ１２間の距離を用いて補償処理を行う。最終的に基準ユーザに対しては最適なフィルタを得られ、それ以外のユーザに対しては実施形態１の方法に対してより最適に近いフィルタ係数が推定される。補償フィルタ計算部６８においては、ユーザ要求のビットレートと距離に応じたフィルタ係数を算出する。
【００４４】
フィルタ係数補償部６２においては、基準フィルタとは別に、基準ユーザ以外のユーザに対してユーザの距離に応じた補償フィルタ係数６９を保持する。フィルタ係数・ユーザ要求処理制御部６６においてはユーザ毎受信タイミング信号を受けて、信号の送信元のＯＮＵ１２を特定し、同一ＰＯＮ１１の基準ユーザのフィルタ係数を選択し、またユーザ毎の補償処理を実行する。
【００４５】
補償フィルタ係数６９と基準フィルタ係数６４は、畳み込み部７０において畳み込み演算を行い、基準ユーザ以外に対するフィルタ係数を推定する。フィルタ処理としては、主信号に対して、畳み込み演算を行う。推定されたタップ係数；基準フィルタ係数（実施形態１を参照）あるいはテーブル化されたフィルタ係数（実施形態２を参照）を入力情報として利用する。
【００４６】
補償フィルタ計算部６８における補償フィルタの算出方法は、以下の式１及び式２を用いて、ユーザ間の距離差を利用して算出した分散波形と理想波形の比を計算し、フィルタ係数を算出する。分散波形を得るための分散パラメータＤは以下の式で得ることが出来る。Ｔは遅延、β２はＧＶＤパラメータ、λは波長である。
【数１】
0006684066.tif 000002
【００４７】
図５に複数の基準ユーザのフィルタ係数を用いた補償フィルタの算出を示す。図５に示す本実施形態に係るＯＬＴは、ユーザ毎受信タイミング処理部７１と、フィルタ係数補償部７２と、フィルタ処理部７３と、基準フィルタ係数７４、ユーザ要求７５と、を備える。フィルタ係数補償部７２は、フィルタ係数・ユーザ要求処理制御部７６と、補償フィルタ算出部７８を有するフィルタ係数推定部７７と、を備える。
【００４８】
実施形態２の方法では基準ユーザを１つ選択し、各ＰＯＮシステムにおいて基準フィルタ係数１つをメモリ２５に格納しているが、本実施形態の方法では基準ユーザを複数選択し、基準フィルタ係数の複数をメモリ２５に格納するシステムを想定する。
【００４９】
同一ＰＯＮシステムにおいて、複数ユーザを選択して、通信確立前にフィルタ係数を更新させておき、メモリ２５に格納する。補償フィルタ算出部７８では複数の基準フィルタの中からフィルタ係数を２つ選択して、距離の比に応じて他のユーザのフィルタ係数を算出する。フィルタ係数の選択の方法は２つ考えられる。
【００５０】
１つはランダムに２つ係数を選択する方法である。２つ目はＯＮＵ１２の集合を２つに分割して２つの集合に対し各要素の平均フィルタを作成する。集合の中で平均フィルタと全てのフィルタ係数との間で差分二乗和をとり、最小の値のフィルタ係数を選択する方法である。
【００５１】
距離の比に応じて２つの基準フィルタを重みづけし、任意の距離のユーザのフィルタ係数を算出する。メモリ制御部（不図示）においてはユーザ毎受信タイミングに応じて、取得するデータの制御を行う。算出されたフィルタ係数はフィルタ処理部７３に送られ、主信号との畳み込み演算が行われる。
【産業上の利用可能性】
【００５２】
本発明は情報通信産業に適用することができる。
【符号の説明】
【００５３】
１１：ＰＯＮ
１２：ＯＮＵ
１３：スプリッタ
１４：ｍ×ｎスイッチ
１５：ＯＬＴ
１６：多重・分離部
１７：受信器
１８、２１、２３、３９：等化処理部
１９、３８：基本処理部
２２：送信器
２４：フィルタ更新部
２５：メモリ
２６、４６、５４、６３、７３：フィルタ処理部
２７、５２：フィルタ係数処理制御部
２８：フィルタ係数更新部
３１：フィルタ係数ユーザ要求部
３２、４７：基準ユーザフィルタ係数保持部
３３、４８：遅延回路
３４、４９：増幅器
３５、５０：加算器
４０：信号制御部
４１、５１、６１、７１：ユーザ毎受信タイミング処理部
４２：ＭＡＣフレーム処理部
４３：ＭＡＣフレーム解析部
４４：ＬＬＩＤ
４５：フィルタ取得部
５３：テーブル
６２、７２：フィルタ係数補償部
６４、７４：基準フィルタ係数
６５、７５：ユーザ要求
６６、７６：フィルタ係数・ユーザ要求処理制御部
６７、７７：フィルタ係数推定部
６８：補償フィルタ計算部
６９：補償フィルタ係数
７０：畳み込み部
７８：補償フィルタ算出部
【図１】
0006684066.tif 000003
【図２】
0006684066.tif 000004
【図３】
0006684066.tif 000005
【図４】
0006684066.tif 000006
【図５】
0006684066.tif 000007